(57)【要約】【課題】  デジタルテレビ放送の受信機能を備えた折り畳み型携帯無線通信装置の上下筐体を開いた時に、使用者の方向を避けるように放射指向性を形成して使用することができる筐体内蔵型のアンテナを実現する。【解決手段】  携帯無線通信装置の上筐体１に内蔵された上側アンテナ素子２、下筐体３に内蔵された下側アンテナ素子４、上側アンテナ素子２の一方の端子２ａと下側アンテナ素子４の一方の端子４ｂを結ぶ接続線５、及び上側アンテナ素子２の他方の端子２ｂと下側アンテナ素子４の他方の端子４ａを結ぶ接続線６からなるアンテナを、接続線５及び接続線６をヒンジ部７において交叉させることにより、全体として略上下対称の８の字形のツイストループをなすようにして構成する。【選択図】  図１
2005217917.tif 000002
【特許請求の範囲】
【請求項１】
表示部が取り付けられた第１の筐体及び操作部が取り付けられヒンジ部を介して前記第１の筐体と折り畳み可能に連結された第２の筐体からなる本体と、
前記表示部が取り付けられた面に略平行な面内でループ形状をなすように前記第１の筐体に内蔵された第１のアンテナ素子の各端と、前記操作部が取り付けられた面に略平行な面内でループ形状をなすように前記第２の筐体に内蔵された第２のアンテナ素子の各端とが、交叉して接続されることにより略上下対称の８の字形をなすように構成されたアンテナとを
備えたことを特徴とする携帯無線通信装置。
【請求項２】
前記アンテナは、前記第１のアンテナ素子の各端と、前記第２のアンテナ素子の各端とが、前記第１の筐体及び前記第２の筐体を連結する前記ヒンジ部において交叉して接続されることにより構成されたことを特徴とする請求項１に記載の携帯無線通信装置。
【請求項３】
前記第１の筐体及び前記第２の筐体は前記ヒンジ部を通して配設された接続部材により接続され、前記アンテナは、前記第１のアンテナ素子の各端と、前記第２のアンテナ素子の各端とが、前記接続部材において交叉して設けられた接続パターンにより接続されて構成されたことを特徴とする請求項１に記載の携帯無線通信装置。
【請求項４】
前記第１のアンテナ素子は前記第１の筐体に内蔵された第１の基板のパターンとして形成され、前記第２のアンテナ素子は前記第２の筐体に内蔵された第２の基板のパターンとして形成されたことを特徴とする請求項１乃至請求項３のいずれか１項に記載の携帯無線通信装置。
【請求項５】
前記第１のアンテナ素子は前記第１の筐体に内蔵された第１の基板のパターンとして形成され、前記第２のアンテナ素子は前記第２の筐体に内蔵された第２の基板のパターンとして形成されると共に、前記アンテナは、前記第１のアンテナ素子の各端と前記第２のアンテナ素子の各端とが、前記第１の基板又は前記第２の基板のいずれかにおいて交叉して設けられた接続パターンにより接続されて構成されたことを特徴とする請求項１に記載の携帯無線通信装置。
【請求項６】
表示部が取り付けられた第１の筐体及び操作部が取り付けられヒンジ部を介して前記第１の筐体と折り畳み可能に連結された第２の筐体からなる本体と、
前記表示部が取り付けられた面に略平行な面内で、第１の拡張線路素子を含んでループ形状をなすように前記第１の筐体に内蔵された第１のアンテナ素子の各端と、前記操作部が取り付けられた面に略平行な面内で、第２の拡張線路素子を含んでループ形状をなすように前記第２の筐体に内蔵された第２のアンテナ素子の各端とが、交叉して接続されることにより略上下対称の８の字形をなすように構成されたアンテナとを
備えたことを特徴とする携帯無線通信装置。
【請求項７】
表示部が取り付けられた第１の筐体及び操作部が取り付けられヒンジ部を介して前記第１の筐体と折り畳み可能に連結された第２の筐体からなる本体と、
前記表示部が取り付けられた面に略平行な面内で、第１の拡張線路素子を含んでループ形状をなすように前記第１の筐体に内蔵された第１のアンテナ素子の各端と、前記操作部が取り付けられた面に略平行な面内で、第２の拡張線路素子を含んでループ形状をなすように前記第２の筐体に内蔵された第２のアンテナ素子の各端とが、交叉して接続されることにより略上下対称の８の字形をなし、かつ、無給電素子を前記第１のアンテナ素子若しくは前記第１の拡張線路素子又は前記第２のアンテナ素子若しくは前記第２の拡張線路素子に電磁結合させて構成されたアンテナとを
備えたことを特徴とする携帯無線通信装置。
【請求項８】
表示部が取り付けられた第１の筐体及び操作部が取り付けられヒンジ部を介して前記第１の筐体と折り畳み可能に連結された第２の筐体からなる本体と、
前記表示部が取り付けられた面に略平行な面内でループ形状をなすように前記第１の筐体に内蔵されると共に、前記ヒンジ部に内蔵された第１の拡張線路素子と直列に接続された第１のアンテナ素子の各端と、前記操作部が取り付けられた面に略平行な面内でループ形状をなすように前記第２の筐体に内蔵されると共に、前記ヒンジ部に内蔵された第２の拡張線路素子と直列に接続された第２のアンテナ素子の各端とが、交叉して接続されることにより略上下対称の８の字形をなすように構成されたアンテナとを
備えたことを特徴とする携帯無線通信装置。
【請求項９】
表示部が取り付けられた第１の筐体及び操作部が取り付けられヒンジ部を介して前記第１の筐体と折り畳み可能に連結された第２の筐体からなる本体と、
前記表示部が取り付けられた面に略平行な面内でループ形状をなすように前記第１の筐体に内蔵されると共に、前記ヒンジ部に内蔵された第１の拡張線路素子と直列に接続された第１のアンテナ素子の各端と、前記操作部が取り付けられた面に略平行な面内でループ形状をなすように前記第２の筐体に内蔵されると共に、前記ヒンジ部に内蔵された第２の拡張線路素子と直列に接続された第２のアンテナ素子の各端とが、交叉して接続されることにより略上下対称の８の字形をなし、かつ、無給電素子を前記第１のアンテナ素子若しくは前記第１の拡張線路素子又は前記第２のアンテナ素子若しくは前記第２の拡張線路素子に電磁結合させて構成されたアンテナとを
備えたことを特徴とする携帯無線通信装置。
【請求項１０】
前記第１の拡張線路素子及び前記第２の拡張線路素子は、ヘリカル状又はメアンダ状に形成されたことを特徴とする請求項６乃至請求項９のいずれか１項に記載の携帯無線通信装置。
【請求項１１】
前記無給電素子は、一端が前記本体に内蔵された無線部の接地ラインに接続されたことを特徴とする請求項７又は請求項９に記載の携帯無線通信装置。
【請求項１２】
表示部が取り付けられた第１の筐体、及び操作部が取り付けられヒンジ部を介して前記第１の筐体と折り畳み可能に連結された第２の筐体からなる携帯無線通信装置の本体に内蔵されたアンテナにおいて、
前記表示部が取り付けられた面に略平行な面内でループ形状をなすように前記第１の筐体に内蔵された第１のアンテナ素子と、
前記操作部が取り付けられた面に略平行な面内でループ形状をなすように前記第２の筐体に内蔵された第２のアンテナ素子とを備え、
前記第１のアンテナ素子の各端と前記第２のアンテナ素子の各端とが交叉して接続されることにより、略上下対称の８の字形をなすように構成されたことを特徴とするアンテナ。
【請求項１３】
表示部が取り付けられた第１の筐体、及び操作部が取り付けられヒンジ部を介して前記第１の筐体と折り畳み可能に連結された第２の筐体からなる携帯無線通信装置の本体に内蔵されたアンテナにおいて、
前記表示部が取り付けられた面に略平行な面内で、第１の拡張線路素子を含んでループ形状をなすように前記第１の筐体に内蔵された第１のアンテナ素子と、
前記操作部が取り付けられた面に略平行な面内で、第２の拡張線路素子を含んでループ形状をなすように前記第２の筐体に内蔵された第２のアンテナ素子とを備え、
前記第１のアンテナ素子の各端と前記第２のアンテナ素子の各端とが交叉して接続されることにより、略上下対称の８の字形をなすように構成されたことを特徴とするアンテナ。
【請求項１４】
表示部が取り付けられた第１の筐体、及び操作部が取り付けられヒンジ部を介して前記第１の筐体と折り畳み可能に連結された第２の筐体からなる携帯無線通信装置の本体に内蔵されたアンテナにおいて、
前記表示部が取り付けられた面に略平行な面内でループ形状をなすように前記第１の筐体に内蔵されると共に、前記ヒンジ部に内蔵された第１の拡張線路素子と直列に接続された第１のアンテナ素子と、
前記操作部が取り付けられた面に略平行な面内でループ形状をなすように前記第２の筐体に内蔵されると共に、前記ヒンジ部に内蔵された第２の拡張線路素子と直列に接続された第２のアンテナ素子とを備え、
前記第１のアンテナ素子の各端と前記第２のアンテナ素子の各端とが交叉して接続されることにより、略上下対称の８の字形をなすように構成されたことを特徴とするアンテナ。
【請求項１５】
前記本体に内蔵され、前記第１のアンテナ素子若しくは前記第１の拡張線路素子又は前記第２のアンテナ素子若しくは前記第２の拡張線路素子に電磁結合された無給電素子をさらに備えたことを特徴とする請求項１３又は請求項１４に記載のアンテナ。
【請求項１６】
前記第１の拡張線路素子及び前記第２の拡張線路素子は、ヘリカル状又はメアンダ状に形成されたことを特徴とする請求項１３乃至請求項１５のいずれか１項に記載のアンテナ。
【請求項１７】
前記無給電素子は、一端が前記本体に内蔵された無線部の接地ラインに接続されたことを特徴とする請求項１５に記載のアンテナ。
【発明の詳細な説明】
【技術分野】
【０００１】
本発明は携帯無線通信装置及びアンテナに係り、特に地上波デジタルテレビ放送等の受信に使用することのできる内蔵型アンテナを備えた携帯無線通信装置及び当該アンテナに関する。
【背景技術】
【０００２】
近年、ＭＰＥＧ−４などの画像圧縮技術を背景に、携帯に適した小型のデジタル映像機器が盛んに開発されており、また、地上波デジタルテレビ放送の開始に伴い、近い将来には携帯無線通信装置でテレビ放送を視聴することができるようになるものと予想されている。一方、アナログテレビ放送を受信できる小型の携帯型テレビ受像機はかねてから商品化されており、アウトドアレジャーなどで利用されている。
【０００３】
このような小型のデジタル映像機器や携帯型テレビ受像機のアンテナとしては、一般に多段伸縮式の４分の１波長モノポール型アンテナや、筐体の周辺に沿って内蔵されたループアンテナが用いられている。前者はラジカセ等に、後者は無線呼び出し装置（ページャ）にもそれぞれ使用されているものである。
【０００４】
ところで、地上波デジタルテレビ放送を携帯無線通信装置で受信するシステムに使用される周波数はＵＨＦ帯（４７０ＭＨｚ帯）が予定されており、１波長は６０ｃｍ程度である。したがって、４分の１波長モノポール型アンテナの全長は１５ｃｍ程度に達し、図１３に示すように携帯無線通信装置に実装した場合には、本体のサイズに比べアンテナ長が過大であり、適切とはいえない。ここで図１３は、上記のような従来の技術（４分の１波長モノポール型アンテナ）に係る携帯無線通信装置及びアンテナの構成を示す図で、近年の主流になっている筐体折り畳み型構造の携帯無線通信装置（以下、折り畳み型携帯無線通信装置という。）に４分の１波長モノポール型アンテナを実装した場合を示している。図中、５１は４分の１波長モノポール型アンテナ、５２は上筐体、５３は下筐体、５４はヒンジ部である。
【０００５】
携帯無線通信装置の筐体折り畳み型構造は、表示部のサイズを大きくできる利点があるので、テレビ放送の受信機能を備えた携帯無線通信装置においても、この形状が採用されるものと予想される。しかし、アンテナの実装スペースの観点では、非折り畳み型構造の方が折り畳み型構造よりも優れている。即ち、全長１５ｃｍ程度のテレビ放送受信用の伸縮式モノポール型アンテナ５１を上筐体５２に実装することは、使用上も携行上も適切とはいい難い。
【０００６】
それよりも、テレビ放送受信用のアンテナを、限られた実装スペースの中である程度のアンテナ全長が確保可能なループ型構造として、筐体に内蔵する方式がより現実的な選択肢であると考えられる。このループ型構造では、上下筐体５２、５３の内部の周辺部分に沿って導線をループ状に巡らせ、ヒンジ部５４を介して接続するようにすれば、１波長に近いアンテナ長を得ることができる。
【０００７】
携帯型電子機器にループアンテナを内蔵するという発明は、従来からなされている（例えば、特許文献１又は特許文献２参照。）。このうち、特許文献１に開示された発明は、折り畳み型携帯無線通信装置を折り畳んだ時に、上筐体に内蔵されたアンテナ素子と下筐体に内蔵されたアンテナ素子が接続されてループアンテナを形成し、この状態で携行されている間も良好な通信状態を維持するというものである。
【０００８】
また、特許文献２に開示された発明は、折り畳み型の携帯型電子機器の上筐体に伸縮可能な第１のアンテナ素子を、下筐体に第２のアンテナ素子を内蔵し、上下筐体を開いた状態では第１のアンテナ素子を伸縮式モノポール型アンテナとして使用し、上下筐体を閉じた状態では第１及び第２のアンテナ素子を相互に接続しループアンテナを形成して使用することにより、いずれの状態でも良好な通信状態を維持するというものである。
【０００９】
ところで、先に述べたように折り畳み型携帯無線通信装置の上下筐体５２、５３内部の周辺部分に沿って導線をループ状に巡らせ、ヒンジ部５４を介して接続するようにして、全長が約１波長の矩形ループアンテナを形成した場合であって、上下筐体５２、５３を開いて折り畳み型携帯無線通信装置を使用する場合、ループアンテナの放射指向性はループ面に垂直な方向にも向くという特性を持つことから、その放射指向性が使用者方向にも向くこととなる。
【００１０】
図１４（ａ）は、このような矩形ループアンテナの構成を示す図、図１４（ｂ）はその放射指向性を示す図である。当該矩形ループアンテナは、携帯無線通信装置の上筐体５２の周辺部分に沿って内蔵された上側アンテナ素子５５、下筐体５３の周辺部分に沿って内蔵された下側アンテナ素子５６、上側アンテナ素子５５の一方の端子５５ａと下側アンテナ素子５６の一方の端子５６ａを結ぶ接続線５７、及び上側アンテナ素子５５の他方の端子５５ｂと下側アンテナ素子５６の他方の端子５６ｂを結ぶ接続線５８からなる。接続線５７及び５８は、ヒンジ部５４の内部を通して設けられている。また、５９は給電部である。
【００１１】
この場合、上側アンテナ素子５５、下側アンテナ素子５６、接続線５７及び接続線５８は、Ｙ軸方向（使用者の方向）に略直交する面内で全長が約１波長のループアンテナを形成し、よく知られているようにＸ−Ｙ面内で図１４（ｂ）に示すような放射指向性を示し、使用者の方向にも放射指向性が向くこととなる。その結果、放射効率の低下や入力インピーダンスの変動による不整合損の増加を招きやすくなるという問題を生ずる。
【００１２】
このような問題を原理的に解決するものとしては、ツイストループアンテナが知られている（例えば、非特許文献１参照。）。このアンテナを用いれば、交叉するループ面に垂直な方向に放射指向性のヌルを形成することができる。
【特許文献１】特開平５−１４２３０号公報（第２、３、５ページ、図１０）
【特許文献２】特開２００１−１０２８３０号公報（第２乃至第５ページ、図１）
【非特許文献１】Ｏ．Ｌｅｉｓｔｅｎ他、“Ｍｉｎｉａｔｕｒｅ  ｄｉｅｌｅｃｔｒｉｃ−ｌｏａｄｅｄ  ｐｅｒｓｏｎａｌ  ｔｅｌｅｐｈｏｎｅ  ａｎｔｅｎｎａｓ  ｗｉｔｈ  ｌｏｗ  ｕｓｅｒ  ｅｘｐｏｓｕｒｅ”、Ｅｌｅｃｔｒｏｎｉｃｓ  Ｌｅｔｔｅｒｓ  ２０ｔｈ  Ａｕｇｕｓｔ  １９９８  Ｖｏｌ．３４  Ｎｏ．１７  ｐｐ．１６２８−１６２９
【発明の開示】
【発明が解決しようとする課題】
【００１３】
折り畳み型携帯無線通信装置でテレビ放送を受信する場合には、上下筐体を開いて表示部を使用者の方向へ向けた状態で使用されることになるので、この状態で内蔵型ループアンテナとして機能するアンテナが必要とされる。上記の特許文献１及び特許文献２に開示された発明は、いずれも上下筐体を閉じた状態でループアンテナを形成するものであって、テレビ放送受信の目的に適するものではない。
【００１４】
そこで、本発明は、上下筐体を開いた時にテレビ放送受信に使用することができ、かつ、使用者の方向を避けて放射指向性を形成するアンテナを内蔵した折り畳み型携帯無線通信装置及び当該アンテナを提供することを目的とする。
【課題を解決するための手段】
【００１５】
上記目的を達成するために、本発明の携帯無線通信装置は、表示部が取り付けられた第１の筐体及び操作部が取り付けられヒンジ部を介して前記第１の筐体と折り畳み可能に連結された第２の筐体からなる本体と、前記表示部が取り付けられた面に略平行な面内でループ形状をなすように前記第１の筐体に内蔵された第１のアンテナ素子の各端と、前記操作部が取り付けられた面に略平行な面内でループ形状をなすように前記第２の筐体に内蔵された第２のアンテナ素子の各端とが交叉して接続されることにより、略上下対称の８の字形をなすように構成されたアンテナとを備えたことを特徴とする。
【発明の効果】
【００１６】
本発明によれば、折り畳み型携帯無線通信装置の上下筐体を開いて地上波デジタルテレビ放送を受信し視聴する際に、良好な放射指向性を示しコンパクトに構成された内蔵型アンテナにより、優れた受信特性を得ることができる。また、近傍の周波数帯を利用する他の通信又は放送サービスにも、同様に適用することができる。
【発明を実施するための最良の形態】
【００１７】
以下、図面を参照して本発明の実施例を説明する。
【実施例１】
【００１８】
以下、図１を参照して、本発明の実施例１を説明する。図１（ａ）は、本発明の実施例１に係る携帯無線通信装置及びアンテナの構成を示す図である。本発明の実施例１に係るアンテナは、携帯無線通信装置の上筐体１の周辺部分に沿って内蔵された上側アンテナ素子２、下筐体３の周辺部分に沿って内蔵された下側アンテナ素子４、上側アンテナ素子２の一方の端子２ａと下側アンテナ素子４の一方の端子４ｂを結ぶ接続線５、及び上側アンテナ素子２の他方の端子２ｂと下側アンテナ素子４の他方の端子４ａを結ぶ接続線６からなり、接続線５及び接続線６がヒンジ部７において交叉することにより、全体として略上下対称の８の字形のツイストループをなして構成されている。
【００１９】
ここで、上側アンテナ素子２は上筐体１の周辺部分に、下側アンテナ素子４は下筐体３の周辺部分に、それぞれ沿って導線を配設したものであるから、上記のように全体として構成されたツイストループの全長は、半波長（約３０ｃｍ）を上回り、１波長に近づく。また、この図では、上側アンテナ素子２の上辺に当る部分に設けた給電部８を通して、アンテナが図示しない無線部（受信系）に接続されるものとしている。なお、上筐体１には図示しない表示部が、下筐体２には図示しない操作部が、図中の座標軸におけるＹ軸の正方向（使用者の方向）を向いてそれぞれ取り付けられているものとする。
【００２０】
したがって、ツイストループのうち、主に上側アンテナ素子２からなる上半分のループは、上筐体１の表示部が取り付けられた面に略平行な面内で形成され、主に下側アンテナ素子４からなる下半分のループは、下筐体３の操作部が取り付けられた面に略平行な面内で形成されていることとなる。なお、ここで略平行とは、厳密に平行ではなくても、課題の解決に寄与する程度に平行であるといえる場合を含む。略直交等の語も、同様の意味で用いるものとする。
【００２１】
次に、図１（ｂ）を参照して、本発明の実施例１に係るアンテナの放射指向性について説明する。図１（ｂ）は、同図（ａ）においてＺ軸の正の方向（同図（ａ）の上方向）から見たアンテナの垂直偏波成分の放射指向性を示す図である。同図（ａ）に示されたアンテナの形状は、上側アンテナ素子２の左半分、接続線５及び下側アンテナ素子４の右半分からなる螺旋と、上側アンテナ素子２の右半分、接続線６及び下側アンテナ素子４の左半分からなる螺旋とがヒンジ部７において交叉するものである。電気的には、上記の２つの螺旋がＸ−Ｚ面内で対向し、互いに逆相で駆動された半波長ダイポールに等価であるので、同図（ｂ）に示すようにＹ方向（使用者の方向）に放射指向性のヌルが形成される。
【００２２】
図２は、本発明の実施例１に係る放射パターンのシミュレーションの一例を示す図である。同図（ａ）はツイストループアンテナのＸ−Ｙ面内の放射パターンを、同図（ｂ）は同じく３次元の放射パターンをそれぞれ示している。また、同図（ｃ）及び（ｄ）は、比較のため矩形ループアンテナの放射パターンをＸ−Ｙ面内及び３次元でそれぞれ示したものである。ツイストループアンテナの場合は、使用者の方向であるＹ方向に放射パターンのヌルが形成されることが明らかに示されている。
【００２３】
本発明の実施例１によれば、テレビ放送受信用のアンテナを折り畳み型携帯無線通信装置に内蔵させた上、上下筐体を開いてテレビ放送を視聴する時に、使用者方向を避けるようにして当該アンテナの放射指向性を形成することができる。
【実施例２】
【００２４】
以下に、図３を参照して、本発明の実施例２を説明する。図３は、本発明の実施例２に係る携帯無線通信装置及びアンテナの構成を示す図である。
【００２５】
実施例２において、上筐体１には上側回路基板９が、下筐体３には下側回路基板１０がそれぞれ実装され、上側回路基板９及び下側回路基板１０はヒンジ部７を通して配設されたフレキシブル基板１１により接続されている。
【００２６】
実施例２に係るアンテナは、上側アンテナ素子２、下側アンテナ素子４、上側アンテナ素子２の一方の端子２ａと下側アンテナ素子４の一方の端子４ｂを結ぶフレキシブル基板１１上のパターン１２、及び上側アンテナ素子２の他方の端子２ｂと下側アンテナ素子４の他方の端子４ａを結ぶフレキシブル基板１１上のパターン１３からなり、パターン１２及びパターン１３がフレキシブル基板１１において交叉することにより、全体として略上下対称の８の字形のツイストループをなして構成されている。なお、フレキシブル基板上のパターンの交叉は、一方を表面のパターン、他方を裏面のパターンにする等の方法により実現することができる。
【００２７】
この他、上側アンテナ素子２が上筐体１の周辺部分に、下側アンテナ素子４が下筐体３の周辺部分にそれぞれ沿って導線を配設したものであり、全体として構成されたツイストループの全長は１波長に近づき、かつ、上側アンテナ素子２の上辺に当る部分に設けた給電部８を通してアンテナが図示しない無線部（受信系）に接続される点は、図１（ａ）と同様である。また、上筐体１には図示しない表示部が、下筐体２には図示しない操作部が、図中の座標軸におけるＹ軸の正方向（使用者の方向）を向いてそれぞれ取り付けられている点も、図１（ａ）と同様である。
【００２８】
このように構成されたツイストループアンテナは、電気的には図１（ａ）に示したツイストループアンテナと等価であるから、上下筐体を開いてテレビ放送を視聴する時に、図１（ｂ）に示すようにＹ方向（使用者の方向）にヌルを形成した適切な放射指向性を得ることができる。
【００２９】
本発明の実施例２によれば、上筐体１と下筐体３間を電気的に接続するためのフレキシブル基板１１上に、予めアンテナ接続用の交叉パターンを設けておくことにより、工程上効率よくツイストループアンテナを実現することができる。
【実施例３】
【００３０】
以下に、本発明の実施例３を、図４を参照して説明する。図４は、本発明の実施例３に係る携帯無線通信装置及びアンテナの構成を示す図である。この図４における図３との相違は、上側アンテナ素子２が上側回路基板９の周辺部分に沿って設けられたパターンとして、下側アンテナ素子４が下側回路基板１０の周辺部分に沿って設けられたパターンとして、それぞれ形成されている点であり、その他は図３と同じである。
【００３１】
アンテナをこのように構成しても、図３と同様にツイストループアンテナを構成することができ、図１又は図３の構成のアンテナとほぼ同様の放射指向性が得られる。
【００３２】
本発明の実施例３によれば、上側回路基板９及び下側回路基板１０に予めアンテナ素子をパターンとして設けておくことにより、上述した実施例２におけるよりも、工程上さらに効率よくツイストループアンテナを実現することができる。
【実施例４】
【００３３】
以下に、本発明の実施例４を、図５を参照して説明する。図５は、本発明の実施例４に係る携帯無線通信装置及びアンテナの構成を示す図である。この図５における図４との相違は、上側回路基板９の周辺部分に沿ってパターンとして設けられた上側アンテナ素子２が、上側回路基板９内の交叉ポイント１４において交叉し、フレキシブル基板１１上の互いに交叉しないパターン１５及び１６を介して、下側回路基板１０の周辺部分に沿ってパターンとして設けられた下側アンテナ素子４に接続されている点であり、その他は図４と同じである。
【００３４】
アンテナをこのように構成しても、図４と同様にツイストループアンテナを構成することができ、図１、図３又は図４の構成のアンテナとほぼ同様の放射指向性が得られる。なお、交叉ポイント１４は上側回路基板９ではなく下側回路基板１０内に設けてもよい。
【００３５】
本発明の実施例４によれば、上側回路基板９又は下側回路基板１０に予め交叉ポイント１４を設けておくことにより、上述した第２又は第３の実施の形態と異なり、交叉パターンを有する特別なフレキシブル基板を必要としない利点がある。
【実施例５】
【００３６】
以下に、本発明の実施例５を、図６乃至図８を参照して説明する。図６は、本発明の実施例５に係る携帯無線通信装置及びアンテナの構成を示す図である。この図６における図１（ａ）との相違は、上側アンテナ素子２が上側拡張線路素子２０ａを、また下側アンテナ素子４が下側拡張線路素子２０ｂをそれぞれ含み、かつ、上側拡張線路素子２０ａ及び下側拡張線路素子２０ｂが略上下対称の位置に配置された点である。なお、これに伴って給電点８の位置も図１（ａ）とは異なっている。なお、その他の構成は図１（ａ）と共通である。
【００３７】
ここで、上側拡張線路素子２０ａ及び下側拡張線路素子２０ｂは、らせん（ヘリカル）又はジグザグ（メアンダ）等の形状をとることによって、機械的寸法以上の電気的線路長を有する素子である。即ち、図１（ａ）の場合に比べ、上筐体１及び下筐体３のサイズをより小さくしても、等価な線路長でツイストループを構成することができる。
【００３８】
図７及び図８は、拡張線路素子の具体的な形状の例を示したものである。図７においてはヘリカル形状の上側拡張線路素子２１ａ及び下側拡張線路素子２１ｂが、図８においてはメアンダ形状の上側拡張線路素子２２ａ及び下側拡張線路素子２２ｂが、それぞれ用いられている。なお、メアンダ形状の上側拡張線路素子２２ａ若しくは下側拡張線路素子２２ｂ、又は上側アンテナ素子２若しくは下側アンテナ素子４の拡張線路素子（２１ａ、２１ｂ、２２ａ、２２ｂ）以外の部分は、本発明の実施例１乃至４に示したように、配設された導線又は基板上のパターンとして形成することもできる。また、接続線５、６を本発明の実施の形態２乃至４に示した方法によって構成することもできる。
【００３９】
本発明の実施例５によれば、実施例１乃至４におけるよりも小さなサイズの携帯無線通信装置に、同等の性能を有するツイストループアンテナを設けることができる。
【実施例６】
【００４０】
以下に、本発明の実施例６を、図９及び図１０を参照して説明する。図９は、本発明の実施例６に係る携帯無線通信装置及びアンテナの構成を示す図である。図中、２３は上筐体１に設けられた無給電素子であり、基板上のパターン又は導体板によって構成される。その他の構成は、図８と共通である。
【００４１】
図９において、無給電素子２３はメアンダ状の拡張線路素子２２ａに電磁結合して、ツイストループアンテナと給電点８を共有する独立のアンテナとして機能する。即ち、無給電素子２３を通信機能のためのアンテナとして用いることができるので、従来の携帯無線通信装置のような多段伸縮式の４分の１波長モノポール型アンテナを必要としない。なお、無給電素子２３は下筐体３に設けてもよく、またツイストループアンテナを構成する上側拡張線路素子２２ａ又は下側拡張線路素子２２b以外の導線の部分に電磁結合させることもできる。
【００４２】
図１０は、本発明の実施例６に係る携帯無線通信装置及びアンテナのもう１つの構成を示す図である。図中、２４は一端が上筐体１又は下筐体３に内蔵された無線部の接地ラインに接続された無給電素子で、その長さが通信機能用の周波数のほほ４分の１波長に相当するものである。そうすると、この無給電素子２４は２分の１波長ダイポールアンテナに等価な性能を有するから、通信機能用の内蔵アンテナをコンパクトなサイズで実現することができる。
【００４３】
本発明の実施例６によれば、携帯無線通信装置のテレビ放送受信用のアンテナと通信機能用のアンテナを、共に筐体に内蔵してコンパクトに構成することができる。
【実施例７】
【００４４】
以下に、本発明の実施例７を、図１１及び図１２を参照して説明する。図１１は、本発明の実施例７に係る携帯無線通信装置及びアンテナの構成を示す図である。この図１１における図７との相違は、ヘリカル形状の上側拡張線路素子２５ａ及び下側拡張線路素子２５ｂを、共にヒンジ部７に内蔵すると共に、これに伴って給電点８の位置を変更した点である。なお、その他の構成は図７と共通である。
【００４５】
この実施例７の特徴は、上筐体１及び下筐体３に比べて部品実装の容積率が低いヒンジ部７の内部スペースを有効に活用して、拡張線路素子２５ａ及び２５ｂを実装する点にある。また、拡張線路素子２５ａ及び２５ｂの相対的位置関係が、上筐体１及び下筐体３の開閉によらずほぼ一定であるので、筐体の開閉によるインピーダンス変動等の影響を小さくすることができるという利点も得られる。
【００４６】
図１２は、本発明の実施例７に係る携帯無線通信装置及びアンテナのもう１つの構成を示す図である。この図１２における図１１との相違は、ヒンジ部７に設けられたヘリカル形状の拡張線路素子２５ａ及び２５ｂを貫通する形で無給電素子２６を設けた点であり、その他の構成は図１１と共通である。この構成は、実施例６における無給電素子２３又は２４と同等の機能を有する無給電素子２６を、図１１と同様に高いスペース効率をもって実装したものである。
【００４７】
本発明の実施例７によれば、ヒンジ部７の内部スペースを有効活用して、ツイストループアンテナ又はこれと通信機能用のアンテナの組合せをさらにコンパクトに実現することができる。
【図面の簡単な説明】
【００４８】
【図１】（ａ）本発明の実施例１に係る携帯無線通信装置及びアンテナの構成を示す図、（ｂ）当該アンテナの放射指向性を示す図。
【図２】（ａ）本発明の実施例１に係る放射パターンのシミュレーションの一例を示す図、（ｂ）比較のため矩形ループアンテナの放射パターンのシミュレーションの一例を示す図。
【図３】本発明の実施例２に係る携帯無線通信装置及びアンテナの構成を示す図。
【図４】本発明の実施例３に係る携帯無線通信装置及びアンテナの構成を示す図。
【図５】本発明の実施例４に係る携帯無線通信装置及びアンテナの構成を示す図。
【図６】本発明の実施例５に係る携帯無線通信装置及びアンテナの構成を示す図。
【図７】本発明の実施例５に係る携帯無線通信装置及びアンテナの構成（ヘリカル状拡張線路素子使用の場合）を示す図。
【図８】本発明の実施例５に係る携帯無線通信装置及びアンテナの構成（メアンダ状拡張線路素子使用の場合）を示す図。
【図９】本発明の実施例６に係る携帯無線通信装置及びアンテナの構成を示す図。
【図１０】本発明の実施例６に係る携帯無線通信装置及びアンテナの構成（無給電素子の一端地絡の場合）を示す図。
【図１１】本発明の実施例７に係る携帯無線通信装置及びアンテナの構成を示す図。
【図１２】本発明の実施例７に係る携帯無線通信装置及びアンテナの構成（無給電素子を含む場合）を示す図。
【図１３】従来の技術に係る携帯無線通信装置及びアンテナの構成を示す図。
【図１４】（ａ）従来の技術に係る携帯無線通信装置におけるループアンテナの構成を示す図、（ｂ）当該ループアンテナの放射指向性を示す図。
【符号の説明】
【００４９】
１  上筐体
２  上側アンテナ素子
２ａ  上側アンテナ素子２の一方の端子
２ｂ  上側アンテナ素子２の他方の端子
３  下筐体
４  下側アンテナ素子
４ａ  下側アンテナ素子４の一方の端子
４ｂ  下側アンテナ素子４の他方の端子
５、６、１５、１６  接続線
７  ヒンジ部
８  給電部
９  上側回路基板
１０  下側回路基板
１１  フレキシブル基板
１２、１３  フレキシブル基板１１上のパターン
１４  交叉ポイント
１５、１６  フレキシブル基板１１上のパターン
２０ａ  上側拡張線路素子
２０ｂ  下側拡張線路素子
２１ａ  ヘリカル形状の上側拡張線路素子
２１ｂ  ヘリカル形状の下側拡張線路素子
２２ａ  メアンダ形状の上側拡張線路素子
２２ｂ  メアンダ形状の下側拡張線路素子
２３  無給電素子
２４  一端が地絡された無給電素子
２５ａ  ヒンジ部７に内蔵されたヘリカル形状の上側拡張線路素子
２５ｂ  ヒンジ部７に内蔵されたヘリカル形状の下側拡張線路素子
２６  ヒンジ部７に内蔵された無給電素子
【図１】
2005217917.tif 000003
【図２】
2005217917.tif 000004
【図３】
2005217917.tif 000005
【図４】
2005217917.tif 000006
【図５】
2005217917.tif 000007
【図６】
2005217917.tif 000008
【図７】
2005217917.tif 000009
【図８】
2005217917.tif 000010
【図９】
2005217917.tif 000011
【図１０】
2005217917.tif 000012
【図１１】
2005217917.tif 000013
【図１２】
2005217917.tif 000014
【図１３】
2005217917.tif 000015
【図１４】
2005217917.tif 000016